(57)【要約】【課題】測定環境の影響を軽減させることのできる捕集装置及びこれを用いる捕集方法を提供する。【解決手段】パッシブサンプラ１０と、除湿材２０と、パッシブサンプラ１０の周囲に除湿材２０を充填した状態でパッシブサンプラ１０を収容可能に構成され、かつ、外気中の被捕集物質が通過可能なパッシブサンプラ収容容器３０とを備える。パッシブサンプラ収容容器３０は、有底円筒状に形成された収容容器本体３２と、収容容器本体３２の上端開口を閉塞可能な円板状の蓋部材３４とから構成されており、これら収容容器本体３２及び蓋部材３４の内面によって、パッシブサンプラ１０及び除湿材２０を収容可能な収容空間が規定されるように構成されている。【選択図】図１
2015045560.tif 000002
【特許請求の範囲】
【請求項１】
パッシブサンプラと、
除湿材と、
前記パッシブサンプラの周囲に前記除湿材を充填した状態で前記パッシブサンプラを収容可能に構成され、かつ、外気中の被捕集物質が通過可能なパッシブサンプラ収容容器とを備える
ことを特徴とする捕集装置。
【請求項２】
請求項１に記載の捕集装置を用いて行なう大気中の被捕集物質の捕集方法であって、
前記除湿材により前記パッシブサンプラの周囲の湿度を低下させた状態において、前記被捕集物質をパッシブサンプラに捕集させる
ことを特徴とする捕集方法。
【発明の詳細な説明】
【技術分野】
【０００１】
本発明は、大気中に浮遊するホルムアルデヒドや揮発性有機化合物（ＶＯＣ）などの被捕集物質をパッシブサンプラに捕集させる捕集装置と、この捕集装置により被捕集物質を捕集する捕集方法に関する。
【背景技術】
【０００２】
従来から、大気中に浮遊するホルムアルデヒドや揮発性有機化合物（ＶＯＣ）などの被捕集物質の捕集には、大気中に曝され、自然拡散により捕集を行なうパッシブサンプラが用いられている（特許文献１）。このパッシブサンプラは、パッシブサンプラ内に設けられた吸着剤や捕集剤によって、被捕集物質濃度を捕集内面において常にゼロとし、それよりも濃度の高い捕集大気中と接する捕集外面となる導入口と一定の濃度勾配を保つことにより、物質濃度の移動拡散現象を利用して、被捕集物質を捕集するものである。
【先行技術文献】
【特許文献】
【０００３】
【特許文献１】特開２００３−１１４１７６号公報
【発明の概要】
【発明が解決しようとする課題】
【０００４】
しかしながら、このパッシブサンプラは、大気中に曝されるようにホルダーに保持され、測定環境下に置かれるものであるため、測定環境の変化によりその性能が著しく低下するおそれがあるという問題がある。
【０００５】
そこで、本発明は、測定環境の影響を軽減させることのできる捕集装置及びこれを用いる捕集方法を提供することを目的とする。
【課題を解決するための手段】
【０００６】
本発明者らは、鋭意研究を重ねた結果、パッシブサンプラの捕集量が高湿度環境下において著しく減少することを見出し、本発明を発明するに至った。すなわち、上記の目的を達成するため、本発明に係る捕集装置は、パッシブサンプラと、除湿材と、前記パッシブサンプラの周囲に前記除湿材を充填した状態で前記パッシブサンプラを収容可能に構成され、かつ、外気中の被捕集物質が通過可能なパッシブサンプラ収容容器とを備えることを特徴とする。
【０００７】
また、本発明に係る捕集方法は、前記捕集装置を用いて行なう大気中の被捕集物質の捕集方法であって、前記除湿材により前記パッシブサンプラの周囲の湿度を低下させた状態において、前記被捕集物質をパッシブサンプラに捕集させることを特徴とする。
【発明の効果】
【０００８】
本発明によれば、測定環境の影響を軽減させることのできる捕集装置及びこれを用いる捕集方法を提供することができる。
【図面の簡単な説明】
【０００９】
【図１】本発明の一実施形態に係る捕集装置の概略構成を示す断面図である。
【図２】パッシブサンプラの捕集量と湿度との関係を示すグラフである。
【発明を実施するための形態】
【００１０】
次に、本発明の一実施形態に係る捕集装置について、図面に基づいて説明する。本実施形態に係る捕集装置１は、図１に示すように、パッシブサンプラ１０と、除湿材２０と、パッシブサンプラ１０及び除湿材２０を収容するパッシブサンプラ収容容器３０とを備えている。
【００１１】
パッシブサンプラ１０は、円筒状のサンプラー本体１２と、このサンプラー本体１２の内部に収容され、被捕集物質を吸着可能な吸着剤１４と、サンプラー本体１２の内部に収容された吸着剤１４の両端外側に設けられたフィルター部材１６と、サンプラー本体１２の両端に設けられた栓部材１８とを備えている。
【００１２】
サンプラー本体１２は、例えばホルムアルデヒド等の大気中の被捕集物質が浸透可能な開孔率を有する多孔性ＰＴＦＥで構成されている。また、サンプラー本体１２の外周面の両端には、全周に亘ってアルミリング２０が貼り付けられている。吸着剤１４は、被捕集物質が吸着可能な材料から形成されており、例えばＤＮＰＨを含浸させたシルカゲルや活性炭等から形成されている。フィルター部材１６は、被捕集物質及びその溶剤が浸透可能で、かつ、吸着剤１４が浸透不能な多孔状に形成されており、被捕集物質の溶剤に対して不溶な材料から形成されている。栓部材１８は、円筒状に形成されたポリエチレン等からなり、フィルター部材１６がサンプラー本体１２から離脱するのを防止するようにサンプラー本体１２の両端に設けられている。
【００１３】
除湿材２０は、例えば過塩素酸マグネシウム及び塩化ナトリウム等の除湿性を有する材料からなり、粒状に形成されている。なお、本実施形態に係る捕集装置１において、除湿材２０は、粒状の除湿材に限定されるものではなく、周知の除湿材を用いることができる。
【００１４】
パッシブサンプラ収容容器３０は、有底円筒状に形成された収容容器本体３２と、収容容器本体３２の上端開口を閉塞可能な円板状の蓋部材３４とから構成されており、これら収容容器本体３２及び蓋部材３４の内面によって、パッシブサンプラ１０及び除湿材２０を収容可能な収容空間が規定されるように構成されている。
【００１５】
収容容器本体３２は、被捕集物質が通過可能な通気性を有し、かつ、除湿材２０の通過を規制可能な多孔部材から形成されており、本実施形態においては金網あるいはポリテトラフルオロエチレン製網を有底円筒状に加工することにより形成されている。収容容器本体３２の底面の中心部には、パッシブサンプラ１０の一方側の栓部材１８が嵌入可能な嵌入孔３３が形成されている。収容容器本体３２の上端縁部３２ａは、他の部分よりも外径が小さくなるように肉薄に形成されており、蓋部材３４の後述するフランジ３８とインロー構造によって着脱可能に構成されている。
【００１６】
蓋部材３４は、収容容器本体３２と同様に、被捕集物質が通過可能な通気性を有し、かつ、除湿材２０の通過を規制可能な多孔部材から形成されており、本実施形態においては金網あるいはポリテトラフルオロエチレン製網を円板状に加工することにより形成されている。蓋部材３４の中心部には、パッシブサンプラ１０の他方側の栓部材１８が嵌入可能な嵌入孔３６が形成されている。蓋部材３４の外周縁部には、周方向全域に亘って下方に突出するフランジ３８が形成されており、このフランジ３８は、収容容器本体３２の上端縁部３２ａの外径と概ね同径の内径を有している。
【００１７】
次に、本実施形態に係る捕集装置１を用いて大気中の被捕集物質を捕集する方法について説明する。本実施形態に係る捕集装置１を用いて大気中の被捕集物質を捕集するためには、まず、気密袋から取り出したパッシブサンプラ１０の一端部（一方側の栓部材１８）を収容容器本体３２の嵌入孔３３に嵌入させ、パッシブサンプラ１０を収容容器本体３２内において垂直に立設させる。次に、パッシブサンプラ１０と収容容器本体３２の内壁との間の空間に除湿材２０を充填させると共に、パッシブサンプラ１０の他端部（他方側の栓部材１８）が蓋部材３４の嵌入孔３６に嵌入するように、蓋部材３４を収容容器本体３２に装着させる。そして、このようにして組み立てられた捕集装置１を所望の測定環境下に置く。これにより、除湿材２０によりパッシブサンプラ１０の周囲の湿度を低下させた状態において、移動拡散現象によりパッシブサンプラ１０に被捕集物質が捕集される。次に、所定の捕集時間経過後、蓋部材３４を収容容器本体３２から取り外し、パッシブサンプラ１０を気密袋に回収する。その後、パッシブサンプラ１０を測定室まで搬送すると共に、測定室において、周知の種々の方法によりパッシブサンプラ１０に捕集された被捕集物質の捕集量を測定する。
【００１８】
以上のような被捕集物質の捕集を湿度の異なる複数日（湿度５０％程度の夏の晴天日〜湿度７５％程度の小雨の日）に屋外において行った結果を図２に示す。図２は、１，３−ブタジエンのパッシブサンプラによる捕集量とそのときの湿度との関係を示すグラフであり、本実施形態に係る捕集装置１を用いて被捕集物質の捕集を行った場合における被捕集物質の捕集量の計測結果と、従来の捕集方法、すなわち、除湿材を用いることなく被捕集物質の捕集を行った場合における被捕集物質の捕集量の計測結果とを示すものである。
【００１９】
図２から、除湿材を用いない従来の捕集方法では、湿度５０％以上の測定環境下において被捕集物質をほとんど捕集できていないことがわかる。一方、図２から、除湿材２０を用いた本実施形態に係る捕集方法によれば、湿度６５％以上の測定環境下においては従来の捕集方法と概ね同程度の捕集量であるものの、湿度が５０〜６０％程度の範囲の測定環境下においては従来の捕集方法よりも被捕集物質の捕集量が数倍多く、特に湿度が５０〜５５％程度の範囲の測定環境下においては従来の捕集方法による被捕集物質の捕集量のおよそ７倍もの捕集量であることがわかる。ここで、本実施形態に係る捕集方法の計測結果において、湿度６５％以上の測定環境下で従来の捕集方法と概ね同程度の捕集量であったことは、パッシブサンプラ１０の周囲に配置した除湿材２０が吸収する水分量よりも大気中に存在する水分量が上回ったために、パッシブサンプラ１０中に水分が入ってしまったことが原因であると考えられる。以上から、被捕集物質の捕集量が湿度に密接に関係しており、従来の捕集方法ではパッシブサンプラの捕集量が湿度５０％以上の高湿度環境下において著しく減少するものの、本実施形態に係る捕集方法では測定環境下における湿度の影響が緩和されていることが明らかとなった。
【００２０】
以上の通り、本実施形態に係る捕集装置１は、パッシブサンプラ１０と、除湿材２０と、パッシブサンプラ１０及び除湿材２０を収容するパッシブサンプラ収容容器３０とを備えることにより、除湿材２０によってパッシブサンプラ１０の周囲の湿度を低下させた状態において被捕集物質の捕集を行うことができるため、測定環境下における湿度の影響を軽減させることができる。
【００２１】
本発明に係る捕集装置は、上述した実施形態に限定されるものではなく、本発明の技術思想を逸脱しない範囲内において種々の改変を行なうことができる。例えば、本実施形態に係る捕集装置１において、パッシブサンプラ１０は、チューブ型のパッシブサンプラを用いて説明したが、これに限定されず、種々のパッシブサンプラを用いることができ、また、本実施形態に係る捕集装置１は、使用するパッシブサンプラの種類及び形状に応じて種々の改変を行なうことができる。
【００２２】
また、本実施形態に係る捕集装置１において、パッシブサンプラ収容容器３０は、収容容器本体３２及び蓋部材３４から構成されるとしたが、これに限定されず、パッシブサンプラ１０の周囲に除湿材２０を充填した状態でパッシブサンプラ１０を収容可能に構成されていれば良い。さらに、本実施形態に係る捕集装置１において、パッシブサンプラ収容容器３０は、金網あるいはポリテトラフルオロエチレン製網を加工することにより形成されるとしたが、これに限定されず、外気中の被捕集物質が通過可能なものであれば良い。
【符号の説明】
【００２３】
１  捕集装置、１０  パッシブサンプラ、２０  除湿材、３０  パッシブサンプラ収容容器
【図１】
2015045560.tif 000003
【図２】
2015045560.tif 000004